(57)【要約】【課題】  環境及び人体に悪影響を及ぼすことのなく、防虫、抗菌、防かび効果を有する溶剤含有ネットを提供すること。【解決手段】  紙製のラベル本体１０１の表面１０１ａに文字や図柄を印刷し、その裏面１０１ｂに接着剤を塗布した溶剤含有ラベル１００であって、ラベル本体１０１には、よもぎエキス、どくだみエキス、緑茶エキス、茎茶エキス、熊笹エキス、朝鮮人参葉炭化エキス、山椒葉炭化エキス、檜地下茎エキス、菖蒲葉エキス、びわ葉エキス、ボウフウエキス、ダイオウエキスを混合した溶剤を含有したものであることを特徴とする溶剤含有ラベル１００を提供する。【選択図】    図１
2005144422.tif 000002
【特許請求の範囲】
【請求項１】
天然成分からなり、防虫効果、抗菌効果及び防かび効果を有する溶剤を含有した溶剤含有基材。
【請求項２】
前記溶剤は、よもぎエキス、どくだみエキス又は緑茶エキスの少なくとも何れか一種類からなるものであることを特徴とする請求項１に記載の溶剤含有基材。
【請求項３】
前記溶剤は、茎茶エキス、熊笹エキス、朝鮮人参葉炭化エキス、山椒葉炭化エキス、檜地下茎エキス、菖蒲葉エキス、びわ葉エキス、ボウフウエキス、ダイオウエキスの少なくとも何れか一種類を混合したものであることを特徴とする請求項２に記載の溶剤含有基材。
【請求項４】
前記基材は、ラベル、シール、ステッカー、値札又はネットであることを特徴とする請求項１乃至３の何れか一項に記載の溶剤含有基材。
【発明の詳細な説明】
【技術分野】
【０００１】
本発明は、防虫、抗菌、防かび効果を有する溶剤を含有した基材に関する。
【背景技術】
【０００２】
従来の溶剤含有基材としては、特許文献１に記載された防虫網があった。
【０００３】
特許文献１に記載された防虫網は、マルチフィラメント糸のレースに、防虫剤を含有させてなることを特徴とする防虫網であって、ここで使用される防虫剤は、ピレトリン、シネリン、ジャスもリン、アレスリン、レスメトリン、フェンバレラート等のピレスロイド系防虫剤、トキサフェン、ベンゾエピン等の環状ジエン系防虫剤、カルバリル、メソミル、プロメカルブ等のカルバメート系防虫剤等が使用されていた。
【特許文献１】特開２００１−２２０９７０号公報
【発明の開示】
【発明が解決しようとする課題】
【０００４】
しかしながら、従来の防虫網のように、化学合成された防虫剤を使用する場合には、毒性が強く、環境ばかりでなく、人体にも悪影響を及ぼす場合があった。
【０００５】
そこで、本発明は、環境及び人体に悪影響を及ぼすことのなく、防虫、抗菌、防かび効果を有する溶剤含有基材を提供することを目的とする。
【課題を解決するための手段】
【０００６】
以上の課題を解決するため、本発明は、天然成分からなる溶剤を含有した溶剤含有基材を提供する。
【０００７】
このように、溶剤として天然成分からなるものを使用することにより、環境や人体に悪影響を及ぼすことがなくなる。
【０００８】
ここで、この溶剤としては、防虫効果、抗菌効果、防かび効果を有するものを使用する。
【０００９】
そして、この溶剤は、よもぎエキス、どくだみエキス又は緑茶エキスの少なくとも何れか一種類からなるものを使用することが望ましく、また、茎茶エキス、熊笹エキス、朝鮮人参葉炭化エキス、山椒葉炭化エキス、檜地下茎エキス、菖蒲葉エキス、びわ葉エキス、ボウフウエキス、ダイオウエキスの少なくとも何れか一種類を混合することも可能である。
【００１０】
ここで、基材としては、ラベル、シール、ステッカー、値札又はネット等がある。
【発明の効果】
【００１１】
以上のように、本発明によれば、天然成分からなる溶剤を使用しているため、環境及び人体に悪影響を及ぼすことのなく、防虫、抗菌、防かび効果を有する溶剤含有ネットを提供することができる。
【発明を実施するための最良の形態】
【００１２】
図１は、本発明の第一の実施形態に係る溶剤含有ラベル１００の正面図である。
【００１３】
溶剤含有ラベル１００は、紙からなるラベル本体１０１の表面１０１ａに、文字や図柄を印刷し、その裏面１０１ｂに接着剤が塗布することにより形成されている。
【００１４】
そして、この溶剤含有ラベル１００には、天然成分からなる溶剤、本実施形態においては、表１に表されている成分よりなる溶剤が含有されている。
【００１５】
【表１】
2005144422.tif 000003
なお、溶剤含有ラベル１００にこの溶剤を含有させる方法としては、この溶剤と接着剤とを混合した溶液にラベル本体１０１を含浸し、乾燥させた後、ラベル本体１０１の表面１０１ａに印刷を施し、ラベル本体１０１の裏面１０１ｂに接着剤を塗布することにより行われているが、このような方法に限定されるわけではなく、溶剤含有ラベル１００に溶剤を含有させることができる全ての方法を用いることが可能である。
【００１６】
また、溶剤と混合する接着剤についても米や生麩等の天然成分を用いたものを使用することにより、環境や人体への悪影響をなくすことができる。
【００１７】
なお、本実施形態においては、溶剤含有ラベル１００を楕円形に形成したが、このような形状に限定されるわけではなく、例えば、四角形、円形その他任意の形状に形成することができる。
【００１８】
このように形成される溶剤含有ラベル１００は、例えば、果実や野菜などに取り付けることで、上述の溶剤による防虫、抗菌、防かび効果が発揮される。
【００１９】
図２は、本発明の第二の実施形態に係る溶剤含有ネット２００の正面図である。
【００２０】
溶剤含有ネット２００は、ネット本体２０１と、ネット本体２０１の外縁を囲む枠２０２と、により構成されている。
【００２１】
本実施形態におけるネット本体２０１は、塩化ビニル樹脂製の線材をネット状に編み込むことにより形成されている。
【００２２】
そして、このネット本体２０１には、天然成分からなる溶剤、本実施形態においては、表１に表されている成分よりなる溶剤が含有されている。
【００２３】
なお、ネット本体２０１にこの溶剤を含有させる方法としては、塩化ビニル樹脂製の線材をこの溶剤と接着剤とを混合した溶液に含浸し、乾燥させた後、ネット状に編み込むことにより行われているが、このような方法に限定されるわけではなく、ネット本体２０１に溶剤を含有させることができる全ての方法を用いることが可能である。
【００２４】
また、ここで用いる接着剤についても米や生麩等の天然成分を用いたものを使用することにより、環境や人体への悪影響をなくすことができる。
【００２５】
ネット本体２０１の周縁には、枠２０２が形成されている。
【００２６】
この枠２０２は、ポリプロピレン樹脂を主原料とする合成紙を使用することにより、加工のしやすさと耐久性とを両立することができるが、これに限られるわけではなく、例えば、ボール紙等を使用することも可能である。
【００２７】
なお、本実施形態においては、溶剤含有ネット２００を矩形状に形成したが、このような形状に限定されるわけではなく、例えば、円形、楕円形その他任意の形状を選択することができる。
【００２８】
このように形成される溶剤含有ネット２００は、例えば、換気扇の排気口や床下の通風口、パーソナルコンピュータの通風口などに取り付けることが可能であり、このような箇所に取り付けることにより、上述の溶剤による防虫、抗菌、防かび効果が発揮される。
【実施例】
【００２９】
以下、実施例により本発明をより詳細に説明する。
【００３０】
〔実施例１〕
図３（Ａ）に表されているように、イチゴ３１０を１５個程度入れた樹脂製パック３１１の中に本発明の第一の実施形態に係る溶剤含有ラベル１００を７３ｍｍ×２３ｍｍの大きさに切断したものと５０ｍｍ×５０ｍｍの大きさに切断したものとを入れたものと入れないものとにラップ３１２を被せて、室温（平均温度２２℃）中に５日間放置したところ、図３（Ｂ）に表されているように、溶剤含有ラベル１００を入れたものにはカビが生えなかったのに対して、本発明の第一の実施形態に係る溶剤含有ラベル１００を入れなかったものには、カビ３１３が生えた。
【００３１】
このことから、本発明の第一の実施形態に係る溶剤含有ラベル１００には、防カビ効果があることが判った。
【００３２】
〔実施例２〕
図４（Ａ）に表されているように、一般生菌数測定用標準寒天３２０の入ったシャーレ３２０を二つ用意し、一方のシャーレには、本発明の実施形態で使用した溶剤を３滴垂らし、これら二つのシャーレ３２１を床面に３０分間放置した後、平均気温３０℃の雰囲気中に１４日間保存したところ、図４（Ｂ）で表されているように、本発明の実施形態で使用した溶剤を垂らしたシャーレ３２０には細菌が繁殖しなかったのに対して、本発明の実施形態で使用した溶剤を垂らさなかったシャーレ３２０には細菌３２２が繁殖した。
【００３３】
このことから、本発明の実施形態で使用した溶剤には、抗菌作用があることが判明した。
【００３４】
〔実施例３〕
図５（Ａ）に表されているように、ゴキブリ３３０（３０ｍｍ程度の大きさのもの）を入れた容器３３１中に、本発明の第一の実施形態に係る溶剤含有ラベル１００を直径３０ｍｍの円形に切断して、当該容器３３１の中に入れたところ、図５（Ｂ）に表されているように、ゴキブリ３３０は本発明の第一の実施形態に係る溶剤含有ラベル１００には近づかなかった。
【００３５】
このことから、本発明の第一の実施形態に係る溶剤含有ラベル１００には、防虫効果があることが判明した。
【図面の簡単な説明】
【００３６】
【図１】第一の実施形態に係る溶剤含有ラベル１００の正面図。
【図２】第二の実施形態に係る溶剤含有ネット２００の正面図。
【図３】忌避剤効果確認試験を表す概略図。
【図４】一般細菌培養試験を表す概略図。
【図５】忌避効果確認試験を表す概略図。
【符号の説明】
【００３７】
１００  溶剤含有ラベル
１０１  ラベル本体
２００  溶剤含有ネット
２０１  ネット本体
２０２  枠
【図１】
2005144422.tif 000004
【図２】
2005144422.tif 000005
【図３】
2005144422.tif 000006
【図４】
2005144422.tif 000007
【図５】
2005144422.tif 000008